(57)【要約】【課題】風路の開度を調整するダンパーの動作不良を低減可能とする浴室乾燥機を得ること。【解決手段】送風機と、送風機により送られた風を第１の吹き出し口へ進行させる第１の風路と、送風機により送られた風を第２の吹き出し口へ進行させる第２の風路とを構成する本体ケースと、回転軸５１を含み、回転軸５１周りの回転駆動により、第１の風路の開度と第２の風路の開度とを調整するダンパー１４と、ダンパー１４の駆動源であるモータであるステッピングモータ６４と、モータの動力を回転軸５１へ伝達させる歯車であるモータ歯車６３および扇歯車７２と、モータと歯車とを覆うギアケース６５とを備える。【選択図】図１９
2018119761.tif 000002
【特許請求の範囲】
【請求項１】
送風機と、
前記送風機により送られた風を第１の吹き出し口へ進行させる第１の風路と、前記送風機により送られた風を第２の吹き出し口へ進行させる第２の風路とを構成する本体ケースと、
回転軸を含み、前記回転軸周りの回転駆動により、前記第１の風路の開度と前記第２の風路の開度とを調整するダンパーと、
前記ダンパーの駆動源であるモータと、
前記モータの動力を前記回転軸へ伝達させる歯車と、
前記モータと前記歯車とを覆うギアケースと
を備えることを特徴とする浴室乾燥機。
【請求項２】
前記歯車は、前記モータに連結された第１の歯車と、前記第１の歯車に噛み合わせられた第２の歯車とを含み、
前記ギアケースは、前記第１の歯車の軸受と、前記第２の歯車の軸受とを含むことを特徴とする請求項１に記載の浴室乾燥機。
【請求項３】
前記ギアケースは、水平方向において前記モータと前記第１の歯車とを覆う壁部を含むことを特徴とする請求項２に記載の浴室乾燥機。
【請求項４】
前記ギアケースは、鉛直方向において前記第２の歯車を覆う平板部を含むことを特徴とする請求項２または３に記載の浴室乾燥機。
【請求項５】
前記ギアケースは、水平方向において前記第２の歯車を覆う側板部を含むことを特徴とする請求項２から４のいずれか一つに記載の浴室乾燥機。
【請求項６】
前記ギアケースは、水平方向において前記モータと前記第１の歯車とを覆う壁部と、鉛直方向において前記第２の歯車を覆う平板部と、前記平板部のうち前記壁部で覆われている部分に形成された切り欠き部とを含み、
前記第１の歯車は、前記第２の歯車のうち前記切り欠き部から前記壁部で覆われている内部へ挿入された部分へ噛み合わせられていることを特徴とする請求項２に記載の浴室乾燥機。
【請求項７】
前記ギアケースは、前記モータが固定される固定部を含むことを特徴とする請求項１から６のいずれか一つに記載の浴室乾燥機。
【発明の詳細な説明】
【技術分野】
【０００１】
本発明は、送風機から吹き出された風を進行させる風路を切り換えて、浴室の乾燥、暖房および換気を行う浴室乾燥機に関する。
【背景技術】
【０００２】
従来、浴室から取り込まれた空気を浴室へ循環させる循環口と、浴室から取り込まれた空気を浴室の外へ排出させる排気口とを備える浴室乾燥機が知られている。浴室乾燥機は、浴室からの空気をヒータで温めて循環口へ温風を送る暖房運転と、浴室からの空気を排気口へ送る換気運転と、浴室からの空気を排気口へ送ると同時に循環口へ温風を送る乾燥運転とを行う。浴室乾燥機の本体ケースには、送風機から吹き出された風を循環口へ進行させる循環風路と、送風機から吹き出された風を排気口へ進行させる排気風路とが設けられている。
【０００３】
特許文献１には、水平方向へ向けられた排気口と、鉛直下向きとされた循環口とが設けられ、浴室の天井に設置される浴室乾燥機が開示されている。循環口は、本体ケースの下面に対向するフロントパネルに設けられている。排気口は、本体ケース上面の換気接続口に接続された部材に設けられている。換気接続口の下側には、送風機から吹き出された風を循環風路と排気風路とに分ける板状のダンパーが設けられている。ダンパーは、水平方向に平行な回転軸を備え、回転軸の周りを回転する。ダンパーの駆動機構には、駆動源にて発生させた動力をダンパーの回転軸へ伝達させる歯車が用いられている。
【先行技術文献】
【特許文献】
【０００４】
【特許文献１】特許第５５３８６２２号公報
【発明の概要】
【発明が解決しようとする課題】
【０００５】
本体ケースの内部には、浴室から取り込まれた空気とともに異物が入り込むことがある。ダンパーの駆動機構が本体ケースの内部に設置されている場合、本体ケースの内部へ入り込んだ異物が歯車へ付着する可能性がある。歯車への異物の付着は、ダンパーの動作不良を生じさせ得る。また、本体ケースの外部に駆動機構が設置されている場合、浴室乾燥機の設置あるいはメンテナンスのときに、作業者、あるいは作業者が使用する工具が歯車へ接触する可能性がある。歯車への接触は、駆動機構の破損とダンパーの動作不良とを生じさせ得る。このため、浴室乾燥機は、異物の付着および作業時における接触からの駆動機構の保護によって、風路の開度を調整するダンパーの動作不良を低減できることが望まれている。
【０００６】
本発明は、上記に鑑みてなされたものであって、風路の開度を調整するダンパーの動作不良を低減可能とする浴室乾燥機を得ることを目的とする。
【課題を解決するための手段】
【０００７】
上述した課題を解決し、目的を達成するために、本発明にかかる浴室乾燥機は、送風機と、送風機により送られた風を第１の吹き出し口へ進行させる第１の風路と、送風機により送られた風を第２の吹き出し口へ進行させる第２の風路とを構成する本体ケースとを備える。本発明にかかる浴室乾燥機は、回転軸を含み、回転軸周りの回転駆動により、第１の風路の開度と第２の風路の開度とを調整するダンパーと、ダンパーの駆動源であるモータと、モータの動力を回転軸へ伝達させる歯車と、モータと歯車とを覆うギアケースとを備える。
【発明の効果】
【０００８】
本発明によれば、風路の開度を調整するダンパーの動作不良を低減できるという効果を奏する。
【図面の簡単な説明】
【０００９】
【図１】実施の形態にかかる浴室乾燥機の側面図
【図２】実施の形態にかかる浴室乾燥機の設置例を示す図
【図３】実施の形態にかかる浴室乾燥機の外観を示す斜視図
【図４】図３に示す本体部の第１の下面図
【図５】図３に示す本体部の外観を示す斜視図
【図６】図５に示す本体部を仮想面で切断した場合の構成を示す斜視図
【図７】図３に示す本体部の第２の下面図
【図８】図３に示す本体部の第３の下面図
【図９】図４に示すダンパーの第１の斜視図
【図１０】図４に示すダンパーの第２の斜視図
【図１１】図６に示す下面部にダンパーが接触している状態を示す断面図
【図１２】図９に示すダンパーと、図１に示す駆動機構と、軸受部材との分解斜視図
【図１３】図３に示す本体部から駆動機構が取り除かれた状態を示す斜視図
【図１４】図１３に示す貫通孔の拡大図
【図１５】図１２に示すダンパー歯車部を示す第１の斜視図
【図１６】図１２に示すダンパー歯車部を示す第２の斜視図
【図１７】図１２に示すギアケースの第１の斜視図
【図１８】図１２に示すギアケースの第２の斜視図
【図１９】図１２に示すダンパーと、駆動機構と、軸受部材とが互いに組み合わせられた状態を示す第１の斜視図
【図２０】図１２に示すダンパーと、駆動機構と、軸受部材とが互いに組み合わせられた状態を示す第２の斜視図
【図２１】図１９に示す駆動機構と回転軸とが本体ケースに配置された状態を示す断面図
【発明を実施するための形態】
【００１０】
以下に、本発明の実施の形態にかかる浴室乾燥機を図面に基づいて詳細に説明する。なお、この実施の形態によりこの発明が限定されるものではない。
【００１１】
実施の形態．
図１は、実施の形態にかかる浴室乾燥機１の側面図である。図２は、実施の形態にかかる浴室乾燥機１の設置例を示す図である。浴室乾燥機１は、浴室２の天井面３に設置される。
【００１２】
浴室乾燥機１は、送風機であるシロッコファン１２と、本体ケース１１と、回転軸を含むダンパー１４とを備える。本体ケース１１は、シロッコファン１２により送られた風を第１の吹き出し口である循環口２１へ進行させる第１の風路と、シロッコファン１２により送られた風を第２の吹き出し口である排気口２２へ進行させる第２の風路とを構成する。ダンパー１４は、回転軸周りの回転駆動により、第１の風路の開度と第２の風路の開度とを調整する。浴室乾燥機１は、ダンパー１４を駆動する駆動機構６０を備える。駆動機構６０は、ダンパー１４の駆動源であるモータと、モータの動力を回転軸へ伝達させる歯車と、モータと歯車とを覆うギアケースとを備える。
【００１３】
さらに、浴室乾燥機１は、ヒータ１３と、ファンモータ１５と、フロントパネル１６と、下面部２３とを備える。シロッコファン１２と、ダンパー１４と、ヒータ１３とは、本体ケース１１内に収納されている。図１に示す本体ケース１１には、本体ケース１１内のシロッコファン１２およびダンパー１４と、ヒータ１３のうち本体ケース１１に覆われた部分とを示している。
【００１４】
本体ケース１１は、下側が開放された箱体である。本体ケース１１は、上面部２４と、側面部２７とを備える。また、本体ケース１１には、上面部２４より上に突起させた突起部２８が設けられている。下面部２３は、本体ケース１１の下側を覆う。下面部２３の外縁は、長方形をなしている。下面部２３の外縁には、フランジ１７が設けられている。本体部１０は、浴室乾燥機１のうち下面部２３から上の部分とする。
【００１５】
下面部２３には、浴室２からの空気を本体ケース１１内へ取り入れるための開口２５が設けられている。開口２５は、下面部２３のうちシロッコファン１２の下側の部分に設けられている。また、下面部２３には、本体ケース１１内の空気を吹き出すための開口２６が設けられている。
【００１６】
フロントパネル１６は、下面部２３に対向させて配置されている。フロントパネル１６は、下面部２３に設けられた支持部材１８により、下面部２３の下側において支持されている。循環口２１は、フロントパネル１６のうち開口２６に対向する位置に設けられている。ヒータ１３は、開口２６に嵌め込まれて固定されている。ヒータ１３は、開口２６を通る空気を加熱する。
【００１７】
接続部材２０は、突起部２８と本体ケース１１の側面部２７とに跨る位置に設けられた開口２９に接続されている。開口２９は、水平方向へ向けられている。排気口２２は、接続部材２０に設けられている。図２に示すように、接続部材２０は、浴室２の天井裏に設けられている排気ダクト４に接続される。排気ダクト４は、浴室２から取り込まれた空気を浴室２の外へ排出させる。排気口２２は、円筒形の排気ダクト４へ挿入可能な円形をなしている。
【００１８】
浴室乾燥機１は、浴室２から取り込まれた空気を、第１の風路である循環風路へ流動させて、循環口２１から浴室２内へ循環させる。また、浴室乾燥機１は、浴室２から取り込まれた空気を、第２の風路である排気風路へ流動させて、排気口２２から浴室２の外へ排出させる。
【００１９】
ダンパー１４は、循環風路と排気風路との分岐における回転駆動により、循環風路の開度と排気風路の開度とを調整する。ダンパー１４を駆動する駆動機構６０は、上面部２４の上に設けられている。
【００２０】
シロッコファン１２の駆動源であるファンモータ１５は、上面部２４の上に設けられている。シロッコファン１２は、ファンモータ１５の駆動力を受けて回転する。シロッコファン１２は、浴室２内の空気を吸い込み、吸い込んだ空気を本体ケース１１内にて吹き出す。
【００２１】
図２に示す設置例において、浴室乾燥機１は、天井面３に設けられた開口５から天井裏の空間へ本体部１０が挿入されて設置される。フランジ１７を天井面３に接合させることで、浴室乾燥機１は、下面部２３を水平にして天井面３に設置される。フロントパネル１６は、浴室２内に配置される。フロントパネル１６は、天井面３および床面６と平行となる。
【００２２】
シロッコファン１２の回転により、浴室２内の空気は、フロントパネル１６と下面部２３との間から開口２５へ流動して、本体ケース１１内へ取り込まれる。本体ケース１１内にてシロッコファン１２から循環風路へ進行した風は、ヒータ１３を通過して、循環口２１から浴室２内へ吹き出される。本体ケース１１内にてシロッコファン１２から排気風路へ進行した風は、排気口２２から排気ダクト４を通じて浴室２の外へ排出される。
【００２３】
浴室乾燥機１は、浴室２からの空気をヒータ１３で温めて循環口２１へ温風を送る暖房運転と、浴室２からの空気を排気口２２へ送る換気運転と、浴室２からの空気を排気口２２へ送ると同時に循環口２１へ温風を送る乾燥運転とを行う。図２に示す矢印は、乾燥運転時における空気の流れの向きを表している。
【００２４】
循環口２１が鉛直下向きであることで、浴室乾燥機１は、床面６へ向けて効率良く温風を送り出すことができる。また、排気口２２が水平方向へ向けられていることで、排気ダクト４への浴室乾燥機１の接続を容易に行うことができる。
【００２５】
図３は、実施の形態にかかる浴室乾燥機１の外観を示す斜視図である。図４は、図３に示す本体部１０の第１の下面図である。図４には、下面部２３が取り外された状態の本体部１０を示しており、図１に示すヒータ１３を省略している。
【００２６】
図４に示すように、シロッコファン１２は、スクロールケーシング３１内に収納されている。送風路４１は、スクロールケーシング３１の内部に形成された風路とする。スクロールケーシング３１は、側壁部３２と、平面部３３と、舌部３４とを含む。側壁部３２は、曲面形状の側面を構成する。側壁部３２は、シロッコファン１２の外周面１２ａとの間に、送風路４１の渦巻状部分を構成する。平面部３３は、スクロールケーシング３１から送り出される風の進行方向に平行な平面を構成する。平面部３３は、送風路４１のうち渦巻状部分より下流側の部分を構成する。舌部３４は、渦巻状部分の上流側端部と、スクロールケーシング３１の下流側端部との間の部分である。舌部３４は、スクロールケーシング３１内にて平面部３３に対向している。舌部３４は、スクロールケーシング３１の内側へ向けて湾曲させた形状を備える。
【００２７】
第１の風路である循環風路４２は、スクロールケーシング３１の下流側端部から、開口２６を経て循環口２１に至るまでの風路とする。スクロールケーシング３１の下流側端部の位置が、送風路４１と循環風路４２との境界４４であるものとする。舌部３４は、境界４４を構成している。
【００２８】
本体ケース１１は、風向変換部である側壁部３５を備える。側壁部３５は、スクロールケーシング３１から第１の風路へ送られた風の向きを第１の開口へ向かう向きへ変換させる。側壁部３５は、本体ケース１１のうち上面部２４と下面部２３との間に設けられており、循環風路４２を構成する。側壁部３５は、本体ケース１１の外側へ向けて湾曲させた形状を備える。開口２６は、側壁部３５の鉛直下側に位置している。側壁部３５は、スクロールケーシング３１から循環風路４２へ送られた風の向きを、水平方向から鉛直下向きへ曲げる。
【００２９】
図５は、図３に示す本体部１０の外観を示す斜視図である。図６は、図５に示す本体部１０を仮想面で切断した場合の構成を示す斜視図である。図６には、図５に示す仮想面である鉛直面３６で本体部１０を切断した場合における本体部１０の構成を示している。鉛直面３６は、鉛直方向に平行な面であって、かつ、下面部２３の外縁がなす長方形の短辺３７に平行であるものとする。図６に示すように、側壁部３５は、鉛直面３６内において円弧状に湾曲された曲面形状をなしている。
【００３０】
第２の風路である排気風路４３は、送風路４１および循環風路４２のうち境界４４を含む接続部分から分岐されている。排気風路４３と、送風路４１および循環風路４２との境界４５は、図４において、平面部３３と分岐点４６とを結ぶ直線で示されている。分岐点４６は、突起部２８に隣接する位置であって、ダンパー１４の回転軸５１が配置される位置とする。排気風路４３は、本体ケース１１内の境界４５から、突起部２８内および接続部材２０内を経て排気口２２に至るまでの風路とする。
【００３１】
送風路４１と循環風路４２とは、スクロールケーシング３１の下流側端部から送り出される風の進行方向において隣り合う。かかる進行方向は、平面部３３に平行な方向である。図４では、スクロールケーシング３１から送り出される風の進行方向を白抜き矢印により示している。循環風路４２は、スクロールケーシング３１から、白抜き矢印で示された方向の位置にある。スクロールケーシング３１は、循環風路４２へ向けて風を送り出す。一方、排気風路４３は、水平方向において送風路４１および循環風路４２から分岐されている。排気風路４３は、スクロールケーシング３１から、白抜き矢印で示された方向とは外れた位置にある。
【００３２】
スクロールケーシング３１内の送風路４１では、空気は水平方向において流動する。排気風路４３の先の排気口２２が水平方向へ向けられているのに対して、循環風路４２の先の循環口２１が鉛直下向きとされていることで、循環風路４２の圧力損失は、排気風路４３の圧力損失に比べて大きくなり易くなる。スクロールケーシング３１から送り出される風の進行方向の先に循環風路４２が配置されることで、浴室乾燥機１は、循環風路４２の圧力損失を低減させる。これにより、浴室乾燥機１は、循環風路４２と排気風路４３とにおける圧力損失の違いを低減できる。
【００３３】
ダンパー１４は、回転軸５１と平板５２とを備える。平板５２は、本体ケース１１内における風路を構成する。回転軸５１は、鉛直方向に平行に配置されている。回転軸５１を鉛直方向に平行とすることで、ダンパー１４は、水平方向において回転駆動する。水平方向へダンパー１４を回転させることで、鉛直方向にて上下にダンパー１４を回転させる場合に比べて、ダンパー１４の自重による回転軸５１への負荷が低減される。図１に示す駆動機構６０は、ダンパー１４の回転駆動のための動力を低減できる。また、駆動機構６０は、回転軸５１への負荷が低減されることで、ダンパー１４を停止させる間に、決められた位置にダンパー１４を保持するための保持トルクを低減できる。
【００３４】
図４には、暖房運転における本体部１０の状態を示している。暖房運転において、ダンパー１４は、循環風路４２を開放するとともに排気風路４３を閉塞する第１の状態とされる。ダンパー１４は、第１の状態において、平面部３３に接触している。なお、図６には、第１の状態のダンパー１４を示している。
【００３５】
平面部３３のうちダンパー１４が接触する部分には、スクロールケーシング３１の外側へ向けて凸とされた段差部４７が設けられている。段差部４７は、平板５２の厚みに相当する段差を構成する。ダンパー１４を段差部４７に接触させることで、スクロールケーシング３１の内面と平板５２との段差を小さくして、ダンパー１４における空気抵抗を低減できる。
【００３６】
スクロールケーシング３１から送り出された風は、ダンパー１４での風向変換を経ずに、循環風路４２へ直進する。ダンパー１４は、風圧を受けて平面部３３へ押さえ付けられることにより、排気風路４３の側への回転が抑制され、第１の状態を維持可能とする。駆動機構６０は、暖房運転の間におけるダンパー１４の保持トルクを低減できる。また、浴室乾燥機１は、ダンパー１４での風向変換を要する場合に比べて、ダンパー１４への風圧による負荷を低減できる。
【００３７】
図７は、図３に示す本体部１０の第２の下面図である。図７には、換気運転における本体部１０の状態を示している。換気運転において、ダンパー１４は、排気風路４３を開放するとともに循環風路４２を閉塞する第２の状態とされる。ダンパー１４は、第２の状態において、舌部３４に接触している。
【００３８】
スクロールケーシング３１から送り出された風は、ダンパー１４に当てられて、排気風路４３へ向かう。ダンパー１４は、風圧を受けて舌部３４へ押さえ付けられることにより、第２の状態を維持可能とする。駆動機構６０は、換気運転の間におけるダンパー１４の保持トルクを低減できる。
【００３９】
図８は、図３に示す本体部１０の第３の下面図である。図８には、乾燥運転における本体部１０の状態を示している。乾燥運転において、ダンパー１４は、第１の状態と第２の状態との間の変位状態である第３の状態とされる。１つの例では、第１の状態から第２の状態への回転変位の４分の１に相当する分、第１の状態のダンパー１４を回転変位させた状態が、第３の状態であるものとする。第３の状態において、ダンパー１４は、循環風路４２の開度と排気風路４３の開度とを３対１の割合に調整する。
【００４０】
スクロールケーシング３１から送り出された風は、ダンパー１４から、循環風路４２と排気風路４３とへ分けられる。ダンパー１４は、スクロールケーシング３１から水平方向へ進行した風を、水平方向において分岐させる。ダンパー１４が受ける風圧は、ダンパー１４での水平方向から鉛直方向への風向変換を要する場合に比べて大幅に低減される。ダンパー１４は、少ない保持トルクにより、第３の状態を維持可能とする。駆動機構６０は、乾燥運転の間におけるダンパー１４の保持トルクを低減できる。
【００４１】
以上により、浴室乾燥機１は、ダンパー１４にかかる負荷を低減することができる。ダンパー１４にかかる負荷を低減できることで、浴室乾燥機１は、定格トルクが小さく安価な駆動源を駆動機構６０に使用することができる。
【００４２】
次に、ダンパー１４の構造の詳細について説明する。図９は、図４に示すダンパー１４の第１の斜視図である。図１０は、図４に示すダンパー１４の第２の斜視図である。図１０には、ダンパー１４のうち図９に示す構成の裏側にある構成を示している。１つの例では、ダンパー１４は、樹脂材料の成形加工により形成される。ダンパー１４は、樹脂材料以外の材料から形成されたものであっても良い。
【００４３】
平板５２は、ダンパー１４のうち長方形の板部分であって、均一な厚さで形成されている。ダンパー１４が第１の状態であるとき、平板５２は、図４に示す平面部３３と平行になり、送風路４１から続く循環風路４２を構成する。ダンパー１４が第２の状態であるとき、平板５２は、図７に示す送風路４１から当てられた風を排気風路４３へ向かわせる風路を構成する。ダンパー１４が第３の状態であるとき、平板５２は、図８に示す平面部３３と平行な状態から若干傾けられ、循環風路４２と排気風路４３とを構成する。ダンパー１４が第１の状態であるとき、平板５２は、平面部３３に平行となることで、循環風路４２へ流動する空気への抵抗を低減できる。また、ダンパー１４が第３の状態であるとき、平板５２は、平面部３３に平行に近い状態となることで、循環風路４２へ流動する空気への抵抗を低減できる。
【００４４】
平板５２のうち長方形の１つの短辺に相当する外縁部分には、円筒形状の円筒部５３が設けられている。円筒部５３は、回転軸５１を構成する。円筒部５３の壁の厚さは、平板５２の厚さと同じである。円筒部５３の上端部５４は、後述するダンパー歯車部に連結される。上端部５４の側部には、ダンパー歯車部の回転トルクを受けるための平面５６が形成されている。円筒部５３の下端部５５は、後述する軸受を挿入可能な凹形状をなしている。
【００４５】
ツバ５８は、平板５２のうち長方形の１つの長辺に相当する下側外縁部分に設けられている。ツバ５８は、平板５２に対し垂直に立てられている。平板５２の外縁のうち、円筒部５３およびツバ５８以外の部分には、凸形状をなす補強部材５７が設けられている。ツバ５８と補強部材５７とが平板５２に設けられていることで、平板５２には、風圧による変形を抑制し得る剛性が確保されている。
【００４６】
図１１は、図６に示す下面部２３にダンパー１４が接触している状態を示す断面図である。下面部２３のうち、図４に示す境界４５に隣接する位置には、ストッパー５９が設けられている。ダンパー１４が第１の状態であるときに、ツバ５８の先端は、ストッパー５９に当てられる。ツバ５８の先端は、ストッパー５９の斜面に合わせて斜めにカットされている。これにより、ダンパー１４への風圧を受けて、ツバ５８はストッパー５９へ密着される。ツバ５８がストッパー５９へ密着されることで、ダンパー１４は、排気風路４３を閉塞する。また、ストッパー５９を斜面とすることで、ダンパー１４が排気風路４３を開いているときに排気風路４３の圧力損失を低減できる。
【００４７】
次に、駆動機構６０の構造の詳細について説明する。図１２は、図９に示すダンパー１４と、図１に示す駆動機構６０と、軸受部材６１との分解斜視図である。
【００４８】
駆動機構６０は、アクチュエータであるステッピングモータ６４と、ステッピングモータ６４の動力を回転軸５１へ伝達させる歯車であるモータ歯車６３および扇歯車と、モータおよび歯車を覆うギアケース６５とを備える。ステッピングモータ６４は、ダンパー１４の駆動源であるモータである。モータ歯車６３は、ステッピングモータ６４に連結された第１の歯車である。扇歯車は、第１の歯車に噛み合わせられた第２の歯車であって、ダンパー歯車部６２に含まれる。駆動機構６０は、ステッピングモータ６４に代えて、他のアクチュエータを備えていても良い。
【００４９】
軸受部材６１は、図１に示す下面部２３に設けられている。軸受部材６１は、回転軸５１を下から支持する。ダンパー１４の下端部５５が軸受部材６１へ嵌め込まれることで、ダンパー１４は、下面部２３上にて回転可能に支持されている。
【００５０】
図１３は、図３に示す本体部１０から駆動機構６０が取り除かれた状態を示す斜視図である。図１３には、駆動機構６０のほかにファンモータ１５および接続部材２０も取り除かれた本体部１０を示している。本体ケース１１の上面部２４のうち、図４に示す分岐点４６の位置に、貫通孔７０が設けられている。貫通孔７０は、上面部２４を貫く円形の開口である。図１２に示すダンパー１４の上端部５４は、貫通孔７０を通ってダンパー歯車部６２へ挿入されている。駆動機構６０は、貫通孔７０を通された上端部５４の上に取り付けられている。
【００５１】
図１４は、図１３に示す貫通孔７０の拡大図である。本体ケース１１の外側における貫通孔７０の周囲には、二重リング突起部７１が設けられている。二重リング突起部７１は、同心とされた２つのリング状の突起を備えている。二重リング突起部７１は、２つのリング状の突起により、貫通孔７０の周囲を二重に取り囲む。二重リング突起部７１は、上面部２４に設けられている。
【００５２】
図１２に示すダンパー歯車部６２は、ギアケース６５に連結されている。ギアケース６５は、ダンパー歯車部６２を上から覆う。ステッピングモータ６４の軸６４ａは、モータ歯車６３へ挿入されている。ステッピングモータ６４は、ギアケース６５へ上から嵌め込まれている。モータ歯車６３は、ギアケース６５のうちステッピングモータ６４の下に収納される。モータ歯車６３と、ダンパー歯車部６２の扇歯車とは、ギアケース６５に覆われた位置にて互いに噛み合う。
【００５３】
図１５は、図１２に示すダンパー歯車部６２の第１の斜視図である。図１６は、図１２に示すダンパー歯車部６２の第２の斜視図である。図１５には、ダンパー歯車部６２の上面構成を示している。図１６には、ダンパー歯車部６２の下面構成を示している。ダンパー歯車部６２は、モータ歯車６３の回転トルクをダンパー１４へ伝達する。
【００５４】
ダンパー歯車部６２は、扇歯車７２と、円筒部７３，７４と、リング突起部７５とを備える。扇歯車７２は、扇形をなしている。扇形の中心角は、図１２に示すダンパー１４を回転変位させる角度に相当する。扇歯車７２の中心上部には、扇歯車７２の回転軸である円筒部７３が設けられている。円筒部７３は、ギアケース６５へ連結される。
【００５５】
扇歯車７２の中心下部には、回転軸５１を上から支持する軸受である円筒部７４が設けられている。図１２に示すダンパー１４の上端部５４は、円筒部７４へ挿入されている。円筒部７４の内部に設けられている平面７６は、上端部５４に設けられている平面５６に接触している。ダンパー歯車部６２の回転トルクは、互いに接触させた平面７６，５６から回転軸５１へ伝達される。
【００５６】
リング突起部７５は、円筒部７３，７４と同心とされたリング状の突起であって、円筒部７４の周囲を取り囲む。リング突起部７５は、図１４に示す二重リング突起部７１の間へ嵌め込まれている。リング突起部７５は、二重リング突起部７１の間にて回転摺動可能とされている。
【００５７】
二重リング突起部７１とリング突起部７５との間には、グリスが塗布されても良い。二重リング突起部７１とリング突起部７５との間がグリスにより封止されることで、貫通孔７０から本体ケース１１の外部への空気の漏れ出しを低減できる。これにより、浴室２内から浴室乾燥機１を通って天井裏の空間へ侵入する湿気を低減できる。
【００５８】
図１７は、図１２に示すギアケース６５の第１の斜視図である。図１８は、図１２に示すギアケース６５の第２の斜視図である。図１７には、ギアケース６５の上面構成を示している。図１８には、ギアケース６５の下面構成を示している。ギアケース６５は、樹脂材料の成形加工により形成される。ギアケース６５は、樹脂材料以外の材料から形成されたものであっても良い。
【００５９】
ギアケース６５は、ステッピングモータ６４とモータ歯車６３とを水平方向において覆う壁部である円筒壁部８５と、鉛直方向においてダンパー歯車部６２を覆う平板部８１と、水平方向においてダンパー歯車部６２を覆う側板部８２とを含む。
【００６０】
平板部８１は、扇歯車７２の回転範囲に相当する扇形状を備えている。平板部８１は、ダンパー歯車部６２の全体と扇歯車７２の回転範囲とを上から覆う。ギアケース６５は、平板部８１により、扇歯車７２を上からガードする。平板部８１の下面のうち扇形状の中心には、ダンパー歯車部６２を上から支持する軸受である円筒部８８が設けられている。円筒部８８は、図１５に示す円筒部７３へ挿入される。円筒部７３へ円筒部８８が挿入されることで、ダンパー歯車部６２は、ギアケース６５にて回転可能に支持されている。
【００６１】
側板部８２は、平板部８１の下面の外縁部分のうち、扇形状の円弧に沿う部分に設けられている。側板部８２は、扇歯車７２のうち歯形部分の厚みに合わせた高さを持たせて、平板部８１から下に立てられている。ギアケース６５は、側板部８２により、扇歯車７２の歯形部分に対向する位置から扇歯車７２をガードする。
【００６２】
ギアケース６５は、ステッピングモータ６４が固定される固定部である２つのネジボス８６を備える。ネジボス８６は、側板部８２の隣に設けられている。ギアケース６５は、ネジボス８６を備えることで、ステッピングモータ６４を正確な位置において固定することができる。
【００６３】
円筒壁部８５は、平板部８１の上面とネジボス８６とに接合されている。円筒壁部８５は、円筒形状をなしている。ステッピングモータ６４とモータ歯車６３とは、円筒壁部８５の内部に配置されている。ギアケース６５は、円筒壁部８５により、ステッピングモータ６４とモータ歯車６３とを横からカバーする。なお、円筒壁部８５のうち平板部８１の上の部分には、円筒壁部８５内へのステッピングモータ６４の設置と、円筒壁部８５内からのステッピングモータ６４の取り外しとを容易に行うための切り欠き部９０が形成されている。
【００６４】
ギアケース６５は、平板部８１のうち円筒壁部８５で覆われている部分を切り欠いて形成された切り欠き部８３を備える。切り欠き部８３は、扇形状の円弧の中央部分に設けられている。扇歯車７２の一部は、切り欠き部８３から円筒壁部８５で覆われている内部へ挿入されている。扇歯車７２の回転状態に関わらず、扇歯車７２の歯形部分のうちの一部分は切り欠き部８３から円筒壁部８５内部へ挿入され、歯形部分のその他の部分は側板部８２に対向している。モータ歯車６３は、扇歯車７２のうち切り欠き部８３から円筒壁部８５で覆われている内部へ挿入された部分へ噛み合わせられている。円筒壁部８５は、扇歯車７２とモータ歯車６３とが噛み合わせられている部分をカバーする。
【００６５】
円筒壁部８５の下端に設けられた底面部８９には、モータ歯車６３を下から支持する軸受である円筒部８４が設けられている。ギアケース６５の２つの端部には、本体ケース１１の上面部２４へのネジ止めのための座面８７が設けられている。
【００６６】
浴室乾燥機１は、ギアケース６５が設けられることで、浴室乾燥機１の設置あるいはメンテナンスの際における作業者と工具との接触から駆動機構６０を保護することができる。浴室乾燥機１は、駆動機構６０の保護によって、ダンパー１４の動作不良を低減できる。
【００６７】
また、浴室乾燥機１は、ダンパー歯車部６２の軸受である円筒部８８とモータ歯車６３の軸受である円筒部８４とがギアケース６５に設けられることで、ダンパー歯車部６２とモータ歯車６３とを正確な位置に配置することができる。ダンパー歯車部６２の回転中心とモータ歯車６３の回転中心との間が一定の距離となるように、ダンパー歯車部６２とモータ歯車６３との位置決めが可能となることで、駆動機構６０は、ダンパー歯車部６２とモータ歯車６３とを精度良く噛み合わせることができる。
【００６８】
仮に、ダンパー歯車部６２の軸受とモータ歯車６３の軸受とを本体ケース１１に設けることとした場合、大型な部品である本体ケース１１の成形において、軸受同士の間が一定の距離となるような精度の確保が求められることになる。この場合、本体ケース１１の成形が困難となる。これに対し、本体ケース１１に比べて小型な部品であるギアケース６５にダンパー歯車部６２の軸受とモータ歯車６３の軸受とが設けられることで、比較的容易な成形により、軸受同士の間の距離が一定となる精度を得ることができる。
【００６９】
図１９は、図１２に示すダンパー１４と、駆動機構６０と、軸受部材６１とが互いに組み合わせられた状態を示す第１の斜視図である。図２０は、図１２に示すダンパー１４と、駆動機構６０と、軸受部材６１とが互いに組み合わせられた状態を示す第２の斜視図である。図２１は、図１９に示す駆動機構６０と回転軸５１とが本体ケース１１に配置された状態を示す断面図である。図１９は、ダンパー１４と、駆動機構６０と、軸受部材６１とを斜め下から見た状態を示している。図２０は、ダンパー１４と、駆動機構６０と、軸受部材６１とを斜め上から見た状態を示している。図２１には、回転軸５１の回転中心とモータ歯車６３の回転中心とを含む断面を示している。
【００７０】
モータ歯車６３は、ステッピングモータ６４による軸６４ａの回転駆動とともに回転して、ダンパー歯車部６２の扇歯車７２へ回転トルクを伝達する。ダンパー歯車部６２は、扇歯車７２へ回転トルクが伝達されることにより、ギアケース６５に支持された状態のまま回転する。ダンパー歯車部６２の円筒部７４に連結されている回転軸５１は、ダンパー歯車部６２の回転駆動とともに回転する。
【００７１】
このように、駆動機構６０は、ステッピングモータ６４の回転出力を、モータ歯車６３を介してダンパー歯車部６２へ伝達させて、ダンパー歯車部６２を回転駆動する。また、駆動機構６０は、ダンパー歯車部６２の回転駆動に合わせてダンパー１４を回転させる。
【００７２】
図２０に示すネジ９１は、ギアケース６５のネジボス８６にステッピングモータ６４を固定する。また、図２１に示すネジ９２は、ギアケース６５の座面８７を本体ケース１１の上面部２４に固定する。上面部２４にギアケース６５が固定されることにより、駆動機構６０は、本体ケース１１上に固定される。
【００７３】
なお、駆動機構６０は、本体ケース１１の内部に設置されていても良い。この場合、浴室乾燥機１は、駆動機構６０にギアケース６５が設けられることで、本体ケース１１の内部へ入り込んだ異物の付着から駆動機構６０を保護することができる。浴室乾燥機１は、駆動機構６０の保護によって、ダンパー１４の動作不良を低減できる。
【００７４】
実施の形態によると、浴室乾燥機１は、ギアケース６５が設けられることで、ステッピングモータ６４と、モータ歯車６３と、ダンパー歯車部６２とを、作業時における接触と異物の付着とから保護することができる。これにより、浴室乾燥機１は、風路の開度を調整するダンパー１４の動作不良を低減できるという効果を奏する。
【００７５】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００７６】
１  浴室乾燥機、２  浴室、３  天井面、４  排気ダクト、５，２５，２６，２９  開口、６  床面、１０  本体部、１１  本体ケース、１２  シロッコファン、１２ａ  外周面、１３  ヒータ、１４  ダンパー、１５  ファンモータ、１６  フロントパネル、１７  フランジ、１８  支持部材、２０  接続部材、２１  循環口、２２  排気口、２３  下面部、２４  上面部、２７  側面部、２８  突起部、３１  スクロールケーシング、３２  側壁部、３３  平面部、３４  舌部、３５  側壁部、４１  送風路、４２  循環風路、４３  排気風路、４４，４５  境界、４６  分岐点、４７  段差部、５１  回転軸、５２  平板、５３，７３，７４，８４，８８  円筒部、５４  上端部、５５  下端部、５６，７６  平面、５７  補強部材、５８  ツバ、５９  ストッパー、６０  駆動機構、６１  軸受部材、６２  ダンパー歯車部、６３  モータ歯車、６４  ステッピングモータ、６５  ギアケース、７０  貫通孔、７１  二重リング突起部、７２  扇歯車、７５  リング突起部、８１  平板部、８２  側板部、８３，９０  切り欠き部、８５  円筒壁部、８６  ネジボス、８７  座面、８９  底面部、９１，９２  ネジ。
【図１】
2018119761.tif 000003
【図２】
2018119761.tif 000004
【図３】
2018119761.tif 000005
【図４】
2018119761.tif 000006
【図５】
2018119761.tif 000007
【図６】
2018119761.tif 000008
【図７】
2018119761.tif 000009
【図８】
2018119761.tif 000010
【図９】
2018119761.tif 000011
【図１０】
2018119761.tif 000012
【図１１】
2018119761.tif 000013
【図１２】
2018119761.tif 000014
【図１３】
2018119761.tif 000015
【図１４】
2018119761.tif 000016
【図１５】
2018119761.tif 000017
【図１６】
2018119761.tif 000018
【図１７】
2018119761.tif 000019
【図１８】
2018119761.tif 000020
【図１９】
2018119761.tif 000021
【図２０】
2018119761.tif 000022
【図２１】
2018119761.tif 000023